【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
特定の温度範囲においてブルー相を有するメソゲン性変調媒体の調製のための、１種または２種以上のキラル化合物および／またはアキラル化合物からなるアキラル成分であって、式Ｉ、ＩＩ、ＨＰおよびＭＥ
【化１】
2014225028.tif 000001
式中、
Ｒ１は、１〜７個のＣ原子を有するアルキルまたは２〜７個のＣ原子を有するオキサアルキルを示し、
【化２】
2014225028.tif 000002
を示し、
Ｚ１１およびＺ１２は、それぞれ互いに独立して、単結合、−ＣＯ−Ｏ−、トランス−ＣＨ＝ＣＨ−、−ＣＨ＝ＣＦ−、−ＣＦ＝ＣＨ−、−ＣＦ＝ＣＦ−、−ＣＨ＝ＣＨ−ＣＯ−Ｏ−、−ＣＦ＝ＣＦ−ＣＯ−Ｏ−、−ＣＦ＝ＣＨ−ＣＯ−Ｏ−、−ＣＨ＝ＣＦ−ＣＯ−Ｏ−、−ＣＦ２−Ｏ−、−Ｏ−ＣＦ２−、もしくは−Ｃ≡Ｃ−またはこれらの基の２種または３種以上の組み合わせを示し、
Ｘ１は、ＣＮ、−Ｃ≡Ｃ−ＣＮ、またはＮＣＳを示し、
Ｙ１１、Ｙ１２、Ｙ１３、およびＹ１４は、ＨまたはＦを示し、および
ｎ１は、０または１を示す、
【化３】
2014225028.tif 000003
式中、
Ｒ２は、１〜７個のＣ原子を有するアルキルまたはアルコキシ、２〜７個のＣ原子を有するアルケニル、アルケニルオキシまたはオキサアルキルを示し、
【化４】
2014225028.tif 000004
を示し、
Ｚ２１およびＺ２２は、それぞれ互いに独立して、単結合、−ＣＯ−Ｏ−、トランス−ＣＨ＝ＣＨ−、−ＣＨ＝ＣＦ−、−ＣＦ＝ＣＨ−、−ＣＦ＝ＣＦ−、−ＣＨ＝ＣＨ−ＣＯ−Ｏ−、−ＣＦ＝ＣＦ−ＣＯ−Ｏ−、−ＣＦ＝ＣＨ−ＣＯ−Ｏ−、−ＣＨ＝ＣＦ−ＣＯ−Ｏ−、−ＣＦ２−Ｏ−、−Ｏ−ＣＦ２−、もしくは−Ｃ≡Ｃ−またはこれらの基の２種または３種以上の組み合わせを示し、
Ｘ２は、ＣＮ、−Ｃ≡Ｃ−ＣＮまたはＮＣＳを示し
Ｙ２は、ＨまたはＦを示し、および
ｎ２は、０または１を示す、
【化５】
2014225028.tif 000005
式中、
Ｒ１Ｈは、ｎ−プロピル、ｎ−ブチル、またはｎ−ペンチルを示し、
Ｒ２Ｈは、ＣＮを示し、
Ｌ１Ｈは、Ｆを示し、および
Ｌ２Ｈは、Ｈを示す
【化６】
2014225028.tif 000006
Ｒ１Ｍは、エチル、ｎ−プロピル、ｎ−ブチル、またはｎ−ペンチルを示し、
Ｒ２Ｍは、ＣＮを示し、
Ｌ１Ｍは、Ｆを示し、および
Ｌ２Ｍは、Ｈを示す、
のいずれかで表される化合物の群から選択される１種または２種以上のアキラル化合物を含むことを特徴とする、前記アキラル成分。
【請求項２】
メソゲン性変調媒体が、
−  １種または２種以上のキラル化合物からなるキラル成分、および
−  請求項１に記載のアキラル成分
を含むことを特徴とする、請求項１に記載のアキラル成分。
【請求項３】
メソゲン性変調媒体が電気光学的光変調素子における使用のためのメソゲン性変調媒体であることを特徴とする、請求項１または２に記載のアキラル成分。
【請求項４】
式Ｉで表される１種または２種以上の化合物を含むことを特徴とする、請求項１〜３のいずれか一項に記載のアキラル成分。
【請求項５】
式ＩＩで表される１種または２種以上の化合物を含むことを特徴とする、請求項１〜４のいずれか一項に記載のアキラル成分。
【請求項６】
式ＨＰで表される１種または２種以上の化合物を含むことを特徴とする、請求項１〜５のいずれか一項に記載のアキラル成分。
【請求項７】
式ＭＥで表される１種または２種以上の化合物を含むことを特徴とする、請求項１〜６のいずれか一項に記載のアキラル成分。
【請求項８】
式Ｉで表される１種または２種以上の化合物および式ＩＩで表される１種または２種以上の化合物をともに含むことを特徴とする、請求項１〜７のいずれか一項に記載のアキラル成分。
【請求項９】
式Ｉ−１およびＩ−２
【化７】
2014225028.tif 000007
式中、
Ｒ１は、１〜７個のＣ原子を有するアルキルを示し、
Ｚ１２は、−ＣＯＯ−を示し、および
Ｘ１は、ＣＮまたはＮＣＳを示す、
のいずれかで表される化合物の群から選択される１種または２種以上の化合物を含むことを特徴とする、請求項１〜８のいずれか一項に記載のアキラル成分。
【請求項１０】
式ＩＩ−１〜ＩＩ−７
【化８】
2014225028.tif 000008
式中、
Ｒ２は、１〜７個のＣ原子を有するアルキルまたはアルコキシを示し、
Ｚ２２は、−ＣＯＯ−を、式ＩＩ−６においてはまた−Ｃ≡Ｃ−を示し、および
Ｘ２は、ＣＮを示す、
のいずれかで表される化合物の群から選択される１種または２種以上の化合物を含むことを特徴とする、請求項１〜９のいずれか一項に記載のアキラル成分。
【請求項１１】
式ＩＩで表される化合物であって、式中、
Ｚ２１およびＺ２２が単結合である、
1種または２種以上の該化合物を含むことを特徴とする、請求項１〜１０のいずれか一項に記載のアキラル成分。
【請求項１２】
式ＩＩで表される化合物であって、式中、
Ｒ２が、１〜７個のＣ原子を有するアルキルまたはアルコキシを示し、
【化９】
2014225028.tif 000009
Ｚ２１およびＺ２２が、単結合を示し、
Ｘ２が、Ｆを示し、および
ｎ２が、１を示す、
１種または２種以上の該化合物を含むことを特徴とする、請求項１〜１１のいずれか一項に記載のアキラル成分。
【請求項１３】
式ＩＩで表される化合物であって、式中、
Ｚ２２が、−ＣＦ２Ｏ−を示す、
１種または２種以上の該化合物を含むことを特徴とする、請求項１〜１２のいずれか一項に記載のアキラル成分。
【請求項１４】
−  １種または２種以上のキラル化合物からなるキラル成分、および
−  請求項１〜１３のいずれか一項に記載のアキラル成分
を含むことを特徴とする、メソゲン性変調媒体。
【請求項１５】
特定の温度範囲においてブルー相を有することを特徴とする、請求項１４に記載のメソゲン性変調媒体。
【請求項１６】
−  １つの基板、または複数の基板
−  電極装置
−  光の偏光化のための１つの素子、または複数の素子、および
−  請求項１４または１５に記載のメソゲン性変調媒体
を含む電気光学的光変調素子。
【請求項１７】
電極装置が、メソゲン性変調媒体の表面と平行に、有意な成分を有する電界を発生させることができることを特徴とする、請求項１６に記載の電気光学的光変調素子。
【請求項１８】
メソゲン性変調媒体がブルー相を有することを特徴とする、請求項１６または１７に記載の電気光学的光変調素子。
【請求項１９】
請求項１６〜１８のいずれか一項に記載の１種または２種以上の電気光学的光変調素子を含有する電気光学的ディスプレイ。
【請求項２０】
ディスプレイがアクチブマトリックスにより駆動されることを特徴とする、請求項１９に記載の電気光学的ディスプレイ。
【請求項２１】
請求項１９または２０に記載の１種または２種以上の電気光学的ディスプレイを含有する電気光学的ディスプレイシステム。
【請求項２２】
テレビジョンスクリーン、コンピューターモニター、またはその双方として用いることができることを特徴とする、請求項２１に記載の電気光学的ディスプレイシステム。
【請求項２３】
請求項１６〜１８のいずれか一項に記載の電気光学的光変調素子の、情報のディスプレイのための使用。
【請求項２４】
請求項１９または２０に記載の電気光学的ディスプレイの電気光学的ディスプレイシステムにおける使用。
【請求項２５】
請求項２１または２２に記載の電気光学的ディスプレイシステムの、ビデオシグナルまたはデジタルシグナルのディスプレイのための使用。